(57)【要約】【課題】面材で荷重を支える構造においても面材を強固に固定できるとともに、少ない作業量及び部品点数で容易に施工できる面材支持構造を提供する。【解決手段】床部１１に固着されて所定の支持面２１で面材１２を支持する第１の支持部材２０と、前記第１の支持部材２０の支持面２１と対向する支持面３１で面材１２を支持する第２の支持部材３０と、面材１２を狭持した状態の前記第１の支持部材２０と前記第２の支持部材３０とを互いに固定するための固定手段４２，４３と、を備え、前記第２の支持部材３０は、前記第１の支持部材２０に対して水平方向に摺動可能にガイドされ、前記固定手段４２，４３は、前記第１の支持部材２０と前記第２の支持部材３０とを面材１２より下方において固定する。【選択図】図２
2014058837.tif 000002
【特許請求の範囲】
【請求項１】
２つの支持部材によって面材の下端部を狭持する面材支持構造であって、
床部に固着されて所定の支持面で面材を支持する第１の支持部材と、
前記第１の支持部材の支持面と対向する支持面で面材を支持する第２の支持部材と、
面材を狭持した状態の前記第１の支持部材と前記第２の支持部材とを互いに固定するための固定手段と、
を備え、
前記第２の支持部材は、前記第１の支持部材に対して水平方向に摺動可能にガイドされ、
前記固定手段は、前記第１の支持部材と前記第２の支持部材とを面材より下方において固定することを特徴とする、面材支持構造。
【請求項２】
前記第１の支持部材及び前記第２の支持部材の支持面の背面側には、下方に行くに従って裾広がりに傾斜した補強部が形成されていることを特徴とする、請求項１記載の面材支持構造。
【請求項３】
前記面材支持構造をベランダ又はバルコニーの手すりに使用した場合において、
前記第１の支持部材は、面材よりも室内側においてベランダ又はバルコニーの床部に固着されるとともに、前記固定手段は、面材よりも室内側において操作可能であることを特徴とする、請求項１又は２記載の面材支持構造。
【発明の詳細な説明】
【技術分野】
【０００１】
この発明は、例えばマンションのベランダやバルコニーの手すりなどに使用される面材支持構造に関する。
【背景技術】
【０００２】
マンションのベランダやバルコニーに手すりを設ける場合、コンクリートの床部の端部付近に突縁を立設し、このコンクリート製の突縁に支持部材や支柱を固定することが一般的である。こうした手すりにおいて、ガラスなどの面材を使用したものも知られており、具体的には、支柱や笠木に枠材を固定し、この枠材によってガラスの四方を保持するものが一般的に知られている。
【０００３】
しかしながら、上記したような枠材によってガラスを保持する構造の場合、ガラスによってシンプルな外観となっているにもかかわらず、枠材の構造が見えてしまうために意匠性が損なわれるという不都合があった。
【０００４】
また、ガラスに穴加工をした上で金具で支持する構造（ＤＰＧ工法）が一般的に用いられているが、現場寸法に合わせたガラスの切り詰めや微調整のために穴加工が必要となるといった問題があった。
【０００５】
そこで、枠材で荷重を支える構造ではなく面材で荷重を支える構造とすることで、枠材や金具などを廃し、シンプルな意匠とするとともに、穴加工を不要にしてコストを低減できる手すりが求められていた。
【０００６】
例えば、特許文献１には、ガラスを床面に対してほぼ垂直に支持する手すりが開示されている。この特許文献１記載の構成においては、ガラスの下端部を支持するために床面に固定される固定部材にガラスの厚さよりも幅の大きい凹部を設け、この凹部にガラスの下端部を挿入している。そして、この凹部においては押し当てプレートがガラス下側部に当接しており、この押し当てプレートに接着剤を塗布するとともに、押し当てプレートをビスによってガラスに押し当てて固定することで、ガラスの下側部を狭持している。
【０００７】
このような構造によれば、固定部材とガラスとによって荷重を支える構造であるので、枠材や支柱が存在せず、シンプルな意匠とすることができる。また、固定部材がガラスを狭持する構造であるので、穴加工が不要であり、コストを低減することができる。
【先行技術文献】
【特許文献】
【０００８】
【特許文献１】特開平０４−３３９９５４号公報
【発明の概要】
【発明が解決しようとする課題】
【０００９】
しかし、上記した特許文献１記載の発明は、押し当てプレートをビスによって押すことでガラスの下側部を狭持する構造であり、ビスの力だけではガラスを安定的に支持することはできない。特に、特許文献１の実施例においては、単一のビスによって押し当てプレートをガラスに押し付けており、そのままでは押し当てプレートがぐらついてしまう構造となっている。このため、特許文献１においては、押し当てプレートに接着剤を塗布するようにしている。このように押し当てプレートに接着剤を塗布してガラスに接着させれば、押し当てプレートがぐらつく問題は改善されるが、接着剤の塗布という作業が発生し、また、施工後のメンテナンスが困難となるという問題もある。また、接着剤が劣化した場合でも継続的に安定してガラスを保持するためには押し当てプレートを押すビスの数を増やすことが望ましいが、ビスの数を増やすとそれだけ作業量が増え、部品点数も増えてしまうといった新たな問題が発生する。
【００１０】
そこで、本発明は、面材で荷重を支える構造において、面材を強固に固定できるとともに、少ない作業量及び部品点数で容易に施工できる面材支持構造を提供することを課題とする。
【課題を解決するための手段】
【００１１】
本発明は、上記した課題を解決するためになされたものであり、以下を特徴とする。
【００１２】
（請求項１）
請求項１に記載の発明は、以下の点を特徴とする。
【００１３】
すなわち、請求項１に記載の面材支持構造は、２つの支持部材によって面材の下端部を狭持する面材支持構造であって、床部に固着されて所定の支持面で面材を支持する第１の支持部材と、前記第１の支持部材の支持面と対向する支持面で面材を支持する第２の支持部材と、面材を狭持した状態の前記第１の支持部材と前記第２の支持部材とを互いに固定するための固定手段と、を備え、前記第２の支持部材は、前記第１の支持部材に対して水平方向に摺動可能にガイドされ、前記固定手段は、前記第１の支持部材と前記第２の支持部材とを面材より下方において固定することを特徴とする。
【００１４】
（請求項２）
請求項２に記載の発明は、上記した請求項１記載の発明の特徴点に加え、以下の点を特徴とする。
【００１５】
すなわち、前記第１の支持部材及び前記第２の支持部材の支持面の背面側には、下方に行くに従って裾広がりに傾斜した補強部が形成されていることを特徴とする。
【００１６】
（請求項３）
請求項３に記載の発明は、上記した請求項１又は２記載の発明の特徴点に加え、以下の点を特徴とする。
【００１７】
すなわち、前記面材支持構造をベランダ又はバルコニーの手すりに使用した場合において、前記第１の支持部材は、面材よりも室内側においてベランダ又はバルコニーの床部に固着されるとともに、前記固定手段は、面材よりも室内側において操作可能であることを特徴とする。
【発明の効果】
【００１８】
請求項１に記載の発明は上記の通りであり、第１の支持部材と第２の支持部材とで面材を狭持し、２つの支持部材をボルトナットなどの固定手段で固定すればよいので、面材に穴加工が不要であり、少ない部品点数で容易に面材を固定することができる。
【００１９】
また、第２の支持部材は第１の支持部材に対して水平方向に摺動可能にガイドされているため、面材の板厚に応じて支持部材間の距離を調整することができ、様々な板厚の面材に対応することができる。
【００２０】
また、第１の支持部材のみが床部に固着される構造であるので、第１の支持部材を固定するための寸法があればよく、床部において支持構造を固定するための必要寸法を小さくすることができる。例えば、床部内部の鋼材などを避けて面材の支持構造を固定する必要がある場合でも、固定のための必要面積が小さいので調整が容易である。
【００２１】
また、第１の支持部材と第２の支持部材とが面材より下方において固定手段により互いに固定されているため、固定手段が面材を貫通したり、面材に当接することなく、２つの支持部材が互いに引き付けるようにして面材を狭持しており、がたつきがなく強固に面材を支持することができる。
【００２２】
また、請求項２に記載の発明は上記の通りであり、前記第１の支持部材及び前記第２の支持部材の支持面の背面側には、下方に行くに従って裾広がりに傾斜した補強部が形成されているので、支持部材の強度が保たれるとともに、支持面に加えられた負荷を支持部材の底面方向で受けることができ、安定して面材を支持することができる。
【００２３】
また、請求項３に記載の発明は上記の通りであり、前記面材支持構造をベランダ又はバルコニーの手すりに使用した場合において、前記第１の支持部材は、面材よりも室内側においてベランダ又はバルコニーの床部に固着されるとともに、前記固定手段は、面材よりも室内側において操作可能であるので、ベランダ又はバルコニーの施工時またはメンテナンス時に室内側から作業を行うことができ、作業性がよい。
【図面の簡単な説明】
【００２４】
【図１】（ａ）面材支持構造を上から見た図（笠木、面材なし）、（ｂ）手すりの側面図、（ｃ）手すりの正面図である。
【図２】手すりの下部構造を示す一部拡大側面図である。
【図３】手すりの施工方法を示す図であって、第１の支持部材を取り付ける様子を示す図である。
【図４】手すりの施工方法を示す図であって、第２の支持部材を摺動させる様子を示す図である。
【図５】手すりの施工方法を示す図であって、面材を挿入する様子を示す図である。
【図６】手すりの施工方法を示す図であって、ボルトで固定する様子を示す図である。
【発明を実施するための形態】
【００２５】
本発明に係る面材支持構造を使用した手すり１０に例に、本発明の実施形態について説明する。
【００２６】
本実施形態に係る手すり１０は、ベランダやバルコニーの端部付近に突縁を立設し、この突縁の上面を床部１１として固定されるものである。この手すり１０は、図１に示すように、支柱を有しておらず、下部に面材支持構造を有している。なお、面材１２の上端には、連続する複数の面材１２を繋ぐように笠木１３が通しで取り付けられている。この笠木１３は、面材１２のゆがみを矯正する効果も発揮している。
【００２７】
手すり１０の下部の面材支持構造は、図２に示すように、強化ガラスからなる面材１２の下端部を狭持しており、室外側に配置される第１の支持部材２０と、室内側に配置される第２の支持部材３０と、面材１２を狭持した状態の第１の支持部材２０と第２の支持部材３０とを互いに固定するための固定手段と、を備えている。
【００２８】
第１の支持部材２０は、図２に示すように、面材１２の側面を支持する垂直な支持面２１と、床部１１に接地する底面部２３と、支持面２１の上端と底面部２３の後端とを結ぶように設けられた補強部２２と、で断面略三角形の中空形状をなす部材である。
【００２９】
支持面２１には、面材１２と当接する部分にゴム製の緩衝部材４０が取り付けられており、面材１２を弾性的に支持するとともに、面材支持構造の内部に水が入り込みにくく形成されている。この支持面２１の下部にはナット収容部２７が形成されており、固定手段の一部をなすナット４３を収容可能となっている。ナット収容部２７は、略Ｃ字形の溝状であり、第２の支持部材３０と対向する方向に開口して開口縁がやや狭く形成されることでナット４３が抜け落ちないようになっている。このナット収容部２７は長手方向に連通して設けられているため、第１の支持部材２０の端部からナット４３を挿入して摺動させることで、ナット４３を所定の位置まで移動できるようになっている。
【００３０】
底面部２３は、図２に示すように、支持面２１よりも第２の支持部材３０の方向に延設される張出部２４を備えており、この張出部２４には図示しない固定孔が穿設されている。第１の支持部材２０は、この固定孔を貫通する固定ネジ４４によって床部１１に固着される。なお、張出部２４の固定孔が支持面２１よりも第２の支持部材３０側に設けられることで、第１の支持部材２０は面材１２より室内側において床部１１に固着される。
【００３１】
また、張出部２４と支持面２１との境目には第１ガイド溝２５が形成され、張出部２４の先端には第２ガイド溝２６が形成されている。この第１ガイド溝２５及び第２ガイド溝２６は、水平方向に所定の幅をもって形成されており、後述する第２の支持部材３０の第１係合部３４及び第２係合部３６とそれぞれ係合するようになっている。第２の支持部材３０は、このように第１ガイド溝２５及び第２ガイド溝２６と第１係合部３４及び第２係合部３６とが係合することで、第１の支持部材２０の上を水平方向に摺動可能にガイドされている。
【００３２】
補強部２２は、第１の支持部材２０の強度を保つために、支持面２１の背面側に下方に行くに従って裾広がりに傾斜するように形成されている。ただし、この補強部２２の下部は傾斜せず垂直となっており、第１の支持部材２０の接地面積が必要以上に大きくならないように形成されている。
【００３３】
第２の支持部材３０は、図２に示すように、第１の支持部材２０に対向して設けられる部材であり、面材１２の側面（第１の支持部材２０が支持する側面とは逆の側面）を支持する垂直な支持面３１と、支持面３１の下部に略水平に設けられた底部３８と、支持面３１の上端と底部３８の後端とを結ぶように設けられた補強部３２と、で断面略三角形の中空形状をなしている。
【００３４】
支持面３１には、面材１２と当接する部分にゴム製の緩衝部材４０が取り付けられており、面材１２を弾性的に支持するとともに、面材支持構造の内部に水が入り込みにくく形成されている。この支持面３１の下部にはボルト貫通孔３７が形成されており、固定手段の一部をなすボルト４２を貫通可能となっている。ボルト貫通孔３７は、第１の支持部材２０のナット収容部２７に臨むように貫通形成されており、ボルト貫通孔３７を貫通したボルト４２がナット収容部２７に収容されたナット４３と螺合可能となっている。
【００３５】
支持面３１の下端部には段部３９が形成されており、この段部３９が形成されることで、第１の支持部材２０と第２の支持部材３０とを組み合わせたときに、両者の間に面材１２を挿入するための溝が形成される。面材１２を挿入する際には、段部３９の上面にゴム製のセッティングブロック１４を配置し、このセッティングブロック１４の上に面材１２を載置する。なお、セッティングブロック１４は段部３９の上面に長手方向全長に渡って配置されるのではなく、複数のセッティングブロック１４が所定間隔を空けて（後述するボルト貫通孔３７を塞ぐ位置を避けて）配置される。これにより、セッティングブロック１４間の隙間にボルト４２を貫通させることができる（図１参照）。
【００３６】
底部３８は、図２に示すように、前端に形成された第１脚部３３と後端に形成された第２脚部３５とにより上方に持ち上げられており、これにより固定ネジ４４の頭部を避けて配置できるように形成されている。第１脚部３３の先端には第１係合部３４が設けられ、第２脚部３５の先端には第２係合部３６が設けられている。この第１係合部３４及び第２係合部３６は、前述した第１ガイド溝２５及び第２ガイド溝２６と係合するように、第１の支持部材２０の方向に突出して形成されている。
【００３７】
補強部３２は、第２の支持部材３０の強度を保つために、支持面３１の背面側に下方に行くに従って裾広がりに傾斜するように形成されている。ただし、この補強部３２の下部は傾斜せず垂直となっており、第２の支持部材３０の接地面積が必要以上に大きくならないように形成されている。なお、この補強部３２には、ボルト貫通孔３７の延長線上において開口する操作孔（図示せず）が貫通形成されており、この操作孔からボルト４２を挿入して締め付け操作可能となっている。この操作孔はボルト４２の締め付けが終わった後に操作孔カバー４１で覆って隠すことが可能である。
【００３８】
次に、上記した面材支持構造を使用した手すり１０の施工方法について説明する。
【００３９】
図３は、第１の支持部材２０を床部１１に取り付ける様子を示している。この図３が示すように、第１の支持部材２０を床部１１に配置し、固定ネジ４４を張出部２４に貫通させて床部１１に固着する。そして、ナット収容部２７にナット４３を挿入する（第１の支持部材２０を床部１１に固着する前に予めナット４３を挿入しておいてもよい）。
【００４０】
次に、図４が示すように、第２の支持部材３０を第１の支持部材２０に対して水平方向に摺動させ、面材１２を挿入するための溝を形成する。このとき、第２の支持部材３０の第１係合部３４及び第２係合部３６が第１の支持部材２０の第１ガイド溝２５及び第２ガイド溝２６と係合することで、第２の支持部材３０は第１の支持部材２０に対して水平方向に摺動可能にガイドされる。なお、第２の支持部材３０の段部３９に予めセッティングブロック１４を設置しておいてもよい。
【００４１】
次に、図５が示すように、第１の支持部材２０と第２の支持部材３０との間の溝に面材１２を挿入する。溝の下端部（段部３９の上面）にはセッティングブロック１４が配置されているため、面材１２はセッティングブロック１４の上に載置された状態となる。
【００４２】
次に、図６が示すように、第２の支持部材３０の側部からボルト４２を挿入し、ボルト４２をナット４３と螺合させる。これにより、面材１２の板厚に応じた適切な締め付け強度で面材１２を固定する。ボルト４２の締結が終了したら、操作孔カバー４１を装着して、ボルト４２の締め付け操作を可能とするための操作孔を塞ぐ。
【００４３】
面材１２を複数連続して配置する場合には、上記した一連の作業を面材１２ごとに行う。そして、隣接する第１の支持部材２０の間、又は、第２の支持部材３０の間には、図１に示すような接続カバー１５を取り付ける。
【００４４】
最後に、面材１２の上端部に笠木１３を取り付ければ、手すり１０の施工が完了する。
【００４５】
以上説明したように、本実施形態によれば、第１の支持部材２０と第２の支持部材３０とで面材１２を狭持し、２つの支持部材２０，３０をボルト４２とナット４３とで固定すればよいので、面材１２に穴加工が不要であり、少ない部品点数で容易に面材１２を固定することができる。
【００４６】
また、第２の支持部材３０は第１の支持部材２０に対して水平方向に摺動可能にガイドされているため、面材１２の板厚に応じて支持部材２０，３０間の距離を調整することができ、様々な板厚の面材１２に対応することができる。
【００４７】
また、第１の支持部材２０のみが床部１１に固着される構造であるので、第１の支持部材２０を固定するための寸法があればよく、床部１１において支持構造を固定するための必要寸法を小さくすることができる。例えば、床部１１内部の鋼材などを避けて面材１２の支持構造を固定する必要がある場合でも、固定のための必要面積が小さいので調整が容易である。
【００４８】
また、第１の支持部材２０と第２の支持部材３０とが面材１２より下方において固定手段４２，４３により互いに固定されているため、固定手段４２，４３が面材１２を貫通したり、面材１２に当接することなく、２つの支持部材２０，３０が互いに引き付けるようにして面材１２を狭持しており、がたつきがなく強固に面材１２を支持することができる。
【００４９】
また、第１の支持部材２０及び第２の支持部材３０の支持面２１，３１の背面側には、下方に行くに従って裾広がりに傾斜した補強部２２，３２が形成されているので、支持部材２０，３０の強度が保たれるとともに、支持面２１，３１に加えられた負荷を支持部材２０，３０の底面方向で受けることができ、安定して面材１２を支持することができる。
【００５０】
また、第１の支持部材２０は面材１２よりも室内側においてベランダ又はバルコニーの床部１１に固着されるとともに、ボルト４２を面材１２よりも室内側から締結可能であるので、ベランダ又はバルコニーの施工時またはメンテナンス時に室内側から作業を行うことができ、作業性がよい。
【００５１】
なお、上記した実施形態においては、第１の支持部材２０および第２の支持部材３０を中空形状としたが、本発明の実施形態としてはこれに限らない。例えば、補強部２２，３２をリブ状に形成した第１の支持部材２０および第２の支持部材３０を使用してもよい。
【符号の説明】
【００５２】
１０  手すり
１１  床部
１２  面材
１３  笠木
１４  セッティングブロック
１５  接続カバー
２０  第１の支持部材
２１  支持面
２２  補強部
２３  底面部
２４  張出部
２５  第１ガイド溝
２６  第２ガイド溝
２７  ナット収容部
３０  第２の支持部材
３１  支持面
３２  補強部
３３  第１脚部
３４  第１係合部
３５  第２脚部
３６  第２係合部
３７  ボルト貫通孔
３８  底部
３９  段部
４０  緩衝部材
４１  操作孔カバー
４２  ボルト（固定手段）
４３  ナット（固定手段）
４４  固定ネジ
【図１】
2014058837.tif 000003
【図２】
2014058837.tif 000004
【図３】
2014058837.tif 000005
【図４】
2014058837.tif 000006
【図５】
2014058837.tif 000007
【図６】
2014058837.tif 000008